(57)【特許請求の範囲】
【請求項１】
操作釦と、該操作釦に内蔵される動作表示ＬＥＤと、液晶表示部と、スピーカーとを備え、上記動作表示ＬＥＤを点灯及び点滅させるとともに、これと連動して上記スピーカーにより操作手順の音声誘導、コース内容説明、動作状態説明を行うように設けて成ることを特徴とするマッサージ機の操作器。
【発明の詳細な説明】
【０００１】
【発明の属する技術分野】
本発明は、マッサージ機の操作を行う操作器に関し、詳しくは音声を発生する回路及びスピーカー及び動作表示行う動作表示ＬＥＤまたは液晶表示部を備えた操作器に関するものである。
【０００２】
【従来の技術及び発明が解決しようとする課題】
近年、マッサージ機の操作器には、操作釦以外に動作内容や動作位置を表示する液晶表示部を設けたものがある。ところが、マッサージ機の機能が多くなり、モード切り替え（自動コースモード／お好み動作モード／問診モード等）が増え、操作方法や動作内容が液晶表示だけでは判断しにくいという問題があった。さらに液晶表示部を操作器に設けるスペースにも限界があり、動作内容の説明や、動作状態の表示や操作手順の説明を十分に行うことができないという問題があった。
【０００３】
本発明は叙述の点に鑑みてなされたものであって、ＬＥＤ表示や液晶表示に合わせて音声にて操作手順やコース内容説明や動作状態説明をすることができて取り扱いが容易になり、またこれらのことを表示する部分を液晶表示部に設ける必要がなくなって操作器のサイズを小さくできるマッサージ機の操作器を提供することを課題とする。
【０００４】
【課題を解決するための手段】
上記課題を解決するため本発明のマッサージ機の操作器は、操作釦と、該操作釦に内蔵される動作表示ＬＥＤと、液晶表示部と、スピーカーとを備え、上記動作表示ＬＥＤを点灯及び点滅させるとともに、これと連動して上記スピーカーにより操作手順の音声誘導、コース内容説明、動作状態説明を行うようにしたことを特徴とする。上記のように構成したことにより、操作釦のＬＥＤ表示や液晶表示に合わせて音声にて操作手順の説明、コース内容説明、動作状態説明を行うことができ、操作器の取り扱いが容易になる。また上記のように音声で説明することにより、液晶表示部に上記の内容を表示する部分を設ける必要がなくなり、操作器に占める液晶表示部の大きさを小さくでき、ひいては操作器のサイズを小さくできる。
【０００５】
【発明の実施の形態】
マッサージ機は予め設定された複数の動作を自動的に行う自動コースモードと、好みの一定動作を行うお好み動作モードと、体調を入力することにより動作を選んでくれる問診コースモードとを有しており、このマッサージ機を操作する操作器１は図１に示すように構成されている。この操作器１は横長の矩形状に形成されており、この操作器１の中央部には液晶表示部２を設けてある。この液晶表示部２では動作内容、施療子の移動範囲、施療子の位置、設定内容を表示するようになっている。そして操作器１にはこの液晶表示部２を中心に上下左右に操作釦Ａを設けてある。
【０００６】
操作釦Ａには種々のものがあり、操作器１の左側には入／切操作釦４、停止操作釦５、肩位置調整釦６、音声ナビ操作釦７を設けてある。操作器１の液晶表示部２の上には全身自動コース用操作釦８を設けてあり、全身自動コース用操作釦８には指圧コース釦８ａ、コリ改善コース釦８ｂ、疲労回復コース釦８ｃ及び全身活性コース釦８ｄ等がある。
【０００７】
マッサージ機の基本動作としては、施療子を人体に対して縦方向に上下して動かす指圧動作、ソフト指圧動作、人体を掴む動作の揉み上げ動作、揉み下げ動作、ぐい揉み動作、ソフト揉み動作、また左右の施療子を交互に上下する叩き動作、揉み叩き動作、また背中の首から腰にかけて上下する背すじ伸ばし動作を行えるものであり、全身自動コース用操作釦８を操作して行う４つの全身自動コースはこれらのコースを組み合わせたものである。指圧コース釦８ａを操作して行う指圧コースは指圧動作、ソフト指圧動作、ソフト指圧背すじ伸ばしを中心に動作するコースとなっている。コリ改善コース釦８ｂを操作して行うコリ改善コースは揉み上げ動作、揉み下げ動作、ぐい揉み動作、ソフト揉み動作、揉み背すじ伸ばし動作を中心にする動作となっている。疲労回復コース釦８ｃを操作して行う疲労回復コースはソフト指圧動作、ソフト指圧背すじ伸ばし動作、ソフト揉み動作、ソフト叩き動作、ソフト叩き背すじ伸ばし動作を中心に動作するコースとなっている。全身活性コース操作釦８ｄを操作して行う全身活性コースは全ての動作を万遍なく動作するコースとなっている。
【０００８】
操作器１の液晶表示部２の右側には開閉自在な蓋９を設けてある。蓋９の上には問診コースを選択する問診コース選択釦１０、コース強さを操作するコース強さ操作釦１１、リクライニングするか否かを操作するリクライニング操作釦１２、脚載せ台を使用するか否かを操作する脚載せ台操作釦１３を設けてある。蓋９の表面には問診コース用操作釦１４を設けてある。問診コース用操作釦１４には首のコリ疲れ操作釦１４ａ、肩のコリ疲れ操作釦１４ｂ、肩すじ疲れ操作釦１４ｃ、腰・おしりのコリ操作釦１４ｄ、脚・足裏の疲れ操作釦１４ｅ、決定操作釦１４ｆ等がある。問診コース用操作釦１４の右側には複数のコースメモリー操作釦１５を設けてあり、コースメモリー操作釦１５を選択することにより予め使用者が設定してメモリーしておいた動作をさせることができるようになっている。また蓋９を開いたとき開放される面には好みモード動作を操作する好み操作釦群が設けてある。
【０００９】
上記のように操作器１には種々の操作釦Ａが設けられるが、適宜の操作釦Ａには動作表示するＬＥＤが内蔵されている。このＬＥＤは点灯したり，消灯したり、点滅したりして動作状態を表示するようになっている。また操作器１にはスピーカー１６を装着してあり、制御されている内容を音声で話したり、操作釦にある動作表示ＬＥＤまたは液晶表示部２の点灯及び点滅状態に連動して操作手順を音声で誘導したりする音声表示をするようになっている。つまり、ＬＥＤ表示や液晶表示に合わせてスピーカー１６による音声にて操作手順やコース内容説明や動作状態説明をすることができるようになっている。このとき、図２に示すように操作釦Ａの操作に応じてマイコン１７にて制御されてスピーカ１６から音声が発せられるようになっている。図２で１８は音声データ、１９はアンプである。
【００１０】
上記のように構成せる操作器１は操作釦Ａを操作することにより各種の操作ができ、このときの動作状態をＬＥＤで表示したり、液晶表示部２で表示することができるようになっているが、本発明では、ＬＥＤ表示や液晶表示に合わせてスピーカー１６による音声にて操作手順やコース内容説明や動作状態説明をすることができるようになっている。例えば、全身自動コース用操作釦８のＬＥＤが点滅した状態で、予め録音された音声データを使って「点滅中の釦の中から選択して下さい」等の操作手順を説明したり、点滅中の釦の中から１つの釦を選んだとき、その釦を押してことによってどういった動作を行うコースに選択されたかのコース内容説明を行ったり、ある動作へ制御が移ったかの動作説明を行うことができ、施療者が聴覚的に操作を確認することができ、操作がし易くなる。
【００１１】
【発明の効果】
本発明のマッサージ機の操作器は、操作釦と、該操作釦に内蔵される動作表示ＬＥＤと、液晶表示部と、スピーカーとを備え、上記動作表示ＬＥＤを点灯及び点滅させるとともに、これと連動して上記スピーカーにより操作手順の音声誘導、コース内容説明、動作状態説明を行うようにしたので、操作釦のＬＥＤ表示や液晶表示に合わせて音声にて操作手順の説明、コース内容説明、動作状態説明を行うことができ、操作器の取り扱いが容易になるものであり、また上記のように音声で説明することにより、液晶表示部に上記の内容を表示する部分を設ける必要がなくなり、操作器に占める液晶表示部の大きさを小さくでき、ひいては操作器のサイズを小さくできるものである。
【図面の簡単な説明】
【図１】本発明の一例のマッサージ機の操作器の正面図である。
【図２】同上の音声を発生する構造を説明するブロック図である。
【符号の説明】
Ａ  操作釦
１  操作器
２  液晶表示部
１６  スピーカー
【図１】
0003873673.tif 000002
【図２】
0003873673.tif 000003